(57)【要約】      （修正有）【課題】片手だけでトイレットペーパーの紙の種類や太さに影響されず、一様に切って使用できる様にする、又は切った後のペーパーをつかみ易くするトイレットペーパーホルダーを提供する。【解決手段】トイレットペーパーホルダーの押え板の上にトイレットペーパーの軸と平行な回転軸を持つローラーを取り付ける。トイレットペーパーホルダーの押え板をトイレットペーパーの外径より長くする。トイレットペーパー１を引き出して、ローラー３の上に載せて手４の様に５の方向へローラーを回すとペーパーが押え板２の先端で切れる事になる。又、切れた後にトイレットペーパー１が下に垂れ下がり、次に掴む時は掴み易く成る。【選択図】図１
0003143041.tif 000002
【実用新案登録請求の範囲】
【請求項１】
図１にあるように▲２▼の押え板の上に回転する▲３▼のローラーを取り付けたトイレットペーパーホルダー
【請求項２】
図１にある▲２▼の押え板をトイレットペーパーの外径より長くして、図２にあるように残りのペーパーが垂れ下がる構造のトイレットペーパーホルダー
【考案の詳細な説明】
【考案の詳細な説明】
【背景技術】イ、  従来の片手で使えるペーパーホルダーは押え板の付け根の部分にバネを付けて、バネの力で押え板がペーパーを押えて片手でペーパーを切る構造の物がある。
ロ、  押え板それ自体に重さを付けて、その重さでペーパーを押えつけて片手でペーパーを切る構造の物がある。
ハ、  図３のように従来のペーパーホルダーはロールに巻かれているペーパー上に押え板の先端があるために、ロール上部で切れる構造である。
【考案の開示】
【考案が解決しようとする課題】イ、  バネ構造の物は最初のペーパー直径が太いので、バネが強く働くためにペーパーを引き出しづらい。さらに使用中にペーパーが減れば、終盤においてバネの利き目が弱く、ペーパーが切りづらくなる。よってペーパーの量に影響されず、一様に使えるようにすること。
ロ、  押え板それ自体の重さでペーパーを押える物は、重さにあったペーパーを使うしかないので不便である。よって色々あるペーパーの種類を同様に使えるようにすること。
ハ、  〔背景技術〕イ、ロ、ハは、図３にある様に、押え板の先端がペーパーの上で押えられて切り終わる構造に出来ている。そうなると、次に使う時は押え板を上に押し上げながらペーパーの先端をつかまなければならないので、片手だけでは容易ではない。よってペーパーを切った後、簡単にペーパーをつかめる様にすること。
【課題を解決するための手段】イ、  図１にあるように▲２▼の押え板の上に、回転する▲３▼のローラーを取り付ける。
ロ、  図１にある▲２▼の押え板をトイレットペーパーの外径より長くする。
【使用法】
イ、図１にあるように▲１▼のペーパーを引き出して▲３▼のローラーの上に使いたい長さを載せる。
ロ、載せたペーパーの上から図１にある▲４▼の手で押えながら、▲３▼のローラーを矢印方向へ回す。
ハ、▲３▼のローラーを回すと▲２▼の押え板の先端で使いたいペーパーが切れる。
【構造の説明】
上記〔使用法・ロ〕の説明にある、ペーパーを押えながら▲３▼のローラーを矢印の方向へ回すという単純なひとつの行為は、▲１▼のトイレットペーパーの回転を止める事と、使いたい長さのペーパーを引っ張る事の相反する二つの行為を片手で同時に行う為、▲２▼の押え板の先端に力が加わり使いたい長さのペーパーが切れる構造である。また、押え板を長くする事で図２にあるように、切った後の残りのペーパーが下に垂れ下がり、次に使う時に掴み易くなる構造にもなっている。
イ、  押える力は▲３▼のローラーが▲２▼押え板に取り付けてあるため、▲２▼の押え板が▲１▼のトイレットペーパーを押えることになり、▲１▼のトイレットペーパーの回転を止める事になる。
ロ、  ペーパーと一緒に▲３▼のローラーが回るので、使いたい長さのペーパーを引っ張ることになる。
【考案の効果】
イ、  上の使用法や構造で説明したとおり、▲３▼のローラーを使う事で最初から最後まで同じように使えて、又、トイレットペーパーの種類に左右される事も無く、あらゆるトイレットペーパーを一貫した使用方法で、片手だけで使いたい長さに簡単に切る事が出来る考案である。
ロ、  ▲２▼の押え板を長くすることで、切った後の残りのペーパーが下に垂れ下がる様になり、次に使う時は簡単に掴む事が出来るようになった。
ハ、  ▲２▼の押え板を長くしたので、上に置いたペーパーを折りたたむ事や使いやすい様に持ち直す事が出来るようになった。
【図１】
0003143041.tif 000003
【図２】
0003143041.tif 000004
【図３】
0003143041.tif 000005
【手続補正書】
【提出日】平成20年4月7日(2008.4.7)
【手続補正１】
【補正対象書類名】実用新案登録請求の範囲
【補正対象項目名】全文
【補正方法】変更
【補正の内容】
【実用新案登録請求の範囲】
【請求項１】
押え板の上にトイレットペーパーの軸と平行な回転軸を持つローラーを取り付けたトイレットペーパーホルダー
【請求項２】
請求項１に記載のトイレットペーパーホルダーに於いて押え板をトイレットペーパーの外径より長くしたトイレットペーパーホルダー
【手続補正２】
【補正対象書類名】明細書
【補正対象項目名】全文
【補正方法】変更
【補正の内容】
【考案の詳細な説明】
【考案の詳細な説明】
【背景技術】イ、  従来の片手で使えるペーパーホルダーは押え板の付け根の部分にバネを付けて、バネの力で押え板がペーパーを押えて片手でペーパーを切る構造の物がある。
ロ、  押え板それ自体に重さを付けて、その重さでペーパーを押えつけて片手でペーパーを切る構造の物がある。
ハ、  図３のように従来のペーパーホルダーはロールに巻かれているペーパー上に押え板の先端があるために、ロール上部で切れる構造である。
【考案の開示】
【考案が解決しようとする課題】イ、  バネ構造の物は最初のペーパー直径が太いので、バネが強く働くためにペーパーを引き出しづらい。さらに使用中にペーパーが減れば、終盤においてバネの利き目が弱く、ペーパーが切りづらくなる。よってペーパーの量に影響されず、一様に使えるようにすること。
ロ、  押え板それ自体の重さでペーパーを押える物は、重さにあったペーパーを使うしかないので不便である。よって色々あるペーパーの種類を同様に使えるようにすること。
ハ、  ［背景技術］イ、ロ、ハは、図３にある様に、押え板の先端がペーパーの上で押えられて切り終わる構造に出来ている。そうなると、次に使う時は押え板を上に押し上げながらペーパーの先端をつかまなければならないので、片手だけでは容易ではない。よってペーパーを切った後、簡単にペーパーをつかめる様にすること。
【課題を解決するための手段】イ、  図１にあるように▲２▼の押え板の上に、回転する▲３▼のローラーを取り付ける。
ロ、  図１にある▲２▼の押え板をトイレットペーパーの外径より長くする。
【使用法】
イ、図１にあるように▲１▼のペーパーを引き出して▲３▼のローラーの上に使いたい長さを載せる。
ロ、載せたペーパーの上から図１にある▲４▼の手で押えながら、▲３▼のローラーを矢印方向へ回す。
ハ、▲３▼のローラーを回すと▲２▼の押え板の先端で使いたいペーパーが切れる。
【構造の説明】
上記［使用法・ロ］の説明にある、ペーパーを押えながら▲３▼のローラーを矢印の方向へ回すという単純なひとつの行為は、▲１▼のトイレットペーパーの回転を止める事と、使いたい長さのペーパーを引っ張る事の相反する二つの行為を片手で同時に行う為、▲２▼の押え板の先端に力が加わり使いたい長さのペーパーが切れる構造である。また、押え板を長くする事で図２にあるように、切った後の残りのペーパーが下に垂れ下がり、次に使う時に掴み易くなる構造にもなっている。
イ、  押える力は▲３▼のローラーが▲２▼押え板に取り付けてあるため、▲２▼の押え板が▲１▼のトイレットペーパーを押えることになり、▲１▼のトイレットペーパーの回転を止める事になる。
ロ、  ペーパーと一緒に▲３▼のローラーが回るので、使いたい長さのペーパーを引っ張ることになる。
【考案の効果】
イ、  上の使用法や構造で説明したとおり、▲３▼のローラーを使う事で最初から最後まで同じように使えて、又、トイレットペーパーの種類に左右される事も無く、あらゆるトイレットペーパーを一貫した使用方法で、片手だけで使いたい長さに簡単に切る事が出来る考案である。
ロ、  ▲２▼の押え板を長くすることで、切った後の残りのペーパーが下に垂れ下がる様になり、次に使う時は簡単に掴む事が出来るようになった。
ハ、  ▲２▼の押え板を長くしたので、上に置いたペーパーを折りたたむ事や使いやすい様に持ち直す事が出来るようになった。
【図面の簡単な説明】
【図１】は本考案のトイレットペーパーホルダーの側面図である。
【図２】は本考案のトイレットペーパーホルダーの斜視図である。
【図３】は従来のトイレットペーパーホルダーの側面図である。
【符号の説明】
▲１▼・・・トイレットペーパー
▲２▼・・・押え板
▲３▼・・・ローラー
▲４▼・・・手